(57)【要約】      （修正有）【課題】水系経路内に付着した有機物固形物を洗浄する方法を提供する。【解決手段】第一段階の処理方法として、カセイソーダもしくはカセイカリの単品または後述のような浸透性を増加させるための界面活性剤を含有する薬剤を浴槽水に投入し、第二段階の処理として、過酸化水素系の成分の分解による酸素ガスの発生を促進することが可能な重金属系の触媒を洗浄水に投入し、有機物組織内に触媒を沈着せしめる。第三段階の処理として、過酸化水素系成分を添加し、付着物を剥離し、除去せしめる。第四段階の処理として、洗浄水のアルカリを中和し、排水して洗浄を完了する。【選択図】なし【特許請求の範囲】
【請求項１】
本発明は、浴槽設備の水系経路内に付着した有機物固形組織すなわちバイオフィルムを溶解洗浄
する方法に関するものであって、第一段階から第四段階まで、それぞれの段階で作用せしめる薬
剤を順次独立して浴槽水に投入し、浴槽水そのものを洗浄水とし、各々の段階において浴槽設備
の水系経路内で一定時間、循環または滞留せしめて、薬剤の効果を無駄なく発揮させ、それらの
薬剤の特長を最大限に発揮させることで、単属あるいは高圧洗浄など機械的物理的作用では洗浄
しきれない留着組織に反応し、経路管材より完全に遊離分解し、洗浄効果を更に顕著としながら、
レジオネラ菌などの菌類の温床を根絶するための必然な洗浄手順を含めた洗浄方法である。
これにより、それぞれの薬剤を単俗もしくは複合する薬剤を浴槽水に同時に投入して使用する場
合と比較し、各段階において的確な反応作用を発現せしめ、より短時間の作業時間で洗浄を完了
し、従来より多くの現場で実施されている過酸化水素や次亜塩素酸ナトリウムなどの洗浄方法と
比較して、より短時間の作業時間で洗浄を完了し、より少ない薬剤添加量で洗浄を達成できる。
さらに洗浄中においても、洗浄剤からくる刺激臭などもなく、作業環境の改善にも有効である。
有機物固形組織が付着した浴用設備の水系経路内を洗浄するに当たり、第一段階の処理方法と
して、カセイソーダもしくはカセイカリの単品または混合物を含有する薬剤を浴槽水に投入し、
ｐＨ１１以上のアルカリ性とせしめた洗浄水を水系経路内で循環または滞留せしめる。
この第一段階の処理により、設備内に付着した有機物の組織はアルカリで破壊され、洗浄水中
に分散する。
次いで第一段階のアルカリの洗浄水を残したまま、第二段階の処理方法を行う。
すなわち、過酸化水素系の成分の分解による酸素ガスの発生を促進することが可能な重金属系の
触媒を洗浄水に投入し、第一段階で残留するアルカリ性の水中で、優先してその有機物組織内に
浸蝕し、触媒を沈着せしめる。
さらに第三段階の処理方法として、第二段階まで処理した洗浄水に過酸化水素系成分を添加し、
触媒の沈着した有機物組織内で集中的に酸素ガスを発生させながら、反応領域を強制的に微細
粒子にまで高め、設備内に強固に残留する有機性付着物を洗浄水の中に分散せしめる。
最終的な第四段階では、洗浄水に残留するアルカリ成分を酸性の薬剤成分で中和し、洗浄水を
廃棄し、水洗して仕上げることにより、設備系路管および継手、更に特にこれまで洗浄困難な
濾過設備内などの残留汚物を除去を可能とする洗浄方法である。
【請求項２】
第一段階で使用するアルカリ性の成分としては、カセイソーダもしくはカセイカリの単品もしく
はそれらの混合物を洗浄水中の濃度として０．１〜１０％、好ましくは０．２〜２．０％の範囲
で添加する。
この添加においては、予めカセイソーダもしくはカセイカリを溶解した水溶液であってもよいが、
洗浄水中の最終的な濃度は上記の範囲で行う。
また、カセイソーダもしくはカセイカリと安定して共存できるノニオン界面活性剤、アニオン界
面活性剤を混合して使用することも有機物の組織を破壊し、分解を促進する効果を向上させる。
【請求項３】
本発明における第二段階の処理方法として、過酸化水素系の成分の分解を促進する重金属系の触
媒を使用する。
触媒としては鉄、コバルト、ニッケル、コバルト、バナジウム、マンガン、銀の化合物の単品も
しくはそれらの混合物からなる成分であって、それらの金属の塩化物、硫酸塩、硝酸塩、有機酸
塩、金属錯塩、マンガンにおいては過マンガン酸塩のごとき、重金属を分子内に含有する化合物
が使用できる。
これらの塩類は、アルカリ性において水酸化物、あるいは酸化物の微細な沈殿物を形成し、固形
物である有機物組織内に集中して沈着する性質を持つ。
そのため、第三段階の処理で添加される過酸化水素系成分の薬剤の分解による酸素ガスの発生を、
固形物である有機物組織内において、酸素ガスの発生を集中させることが可能となる。
これらの触媒の添加量は、それらの単品もしくは混合物の形で、洗浄水中の濃度として
０．００００１〜１．０％の範囲で使用する。
【請求項４】
本発明における第三段階の処理方法としての過酸化水素系化合物は、過酸化水素水、過炭酸ナト
リウム、過炭酸カリ、過硼酸ナトリウム、過硼酸カリの単品もしくは混合物を洗浄水の中の濃度
として、０．１〜１０％の範囲で使用する。
これらの過酸化水素系成分は、有機物組織内にアルカリ性において水酸化物、あるいは酸化物の
微細な沈殿物として沈着した触媒と接触し、その場所で集中的に分解され、酸素ガスを発生し、
固形物である有機物を洗浄水中に遊離分散させることで、ほぼ完全な洗浄除去が可能となる。
【請求項５】
本発明における第四段階の処理方法として、酸性物質としての塩酸、硫酸、有機酸などを使用し、
第一段階で使用したアルカリを中和する。
中和後は、排水基準となるｐＨ範囲、すなわちｐＨ６．８〜８．６の中性域まで中和し、排水後、
水が清浄となるまで水洗する。
【発明の詳細な説明】
【技術分野】
【０００１】
本発明は、浴槽設備用の有機物固形組織付着物、すなわちバイオフィルムを溶解洗浄方法に
関するものである。
【０００２】
いわゆるバイオフィルムといわれる有機物組織は、浴用設備の水系経路内で繁殖した微生物の集
団が水系経路の材質の表面に、ゲル状に付着したものであり、最終的な付着物は、ほぼ透明な樹
脂フィルムで、厚みが１〜２ｍｍ程度となることがある。
【０００３】
成長が確立したバイオフィルムは、洗浄水が中性ないし酸性の環境において、表面の強度が著し
く高くなり、除去することが極めて困難である。
このようなバイオフィルムは、微生物の温床となっており、時にはレジオネラ菌や一般細菌が繁
殖して、感染事故を起こすなど、浴槽水を原因とした非衛生的な状況を作り出す。
【背景技術】
【０００４】
バイオフィルムを洗浄する方法としては、現状において、最も多用されているのは、浴槽設備
の水系経路内に１〜５％程度の次亜塩素酸ソーダの水溶液や過酸化水素の水溶液を高濃度投入
し、２〜４時間程度、長時間洗浄する方法である。
【０００５】
また、１〜５％程度のカセイソーダ、カセイカリといったアルカリを浴用設備の水系に投入し、
設備内の有機物の付着物を洗浄する方法も多用されている。
スケール等とともに洗浄とともに有機物を洗浄する場合は、１〜５％の塩酸や硫酸、あるいは
有機酸などの酸で洗浄するケースもある。
しかしながら、過酸化水素系化合物からなる洗浄剤とアルカリや酸系洗浄剤と同時に使用して
洗浄する方法では、バイオフィルムを完全に洗浄することは困難であり、たとえそれらの洗浄
剤を高濃度で、長時間洗浄してもバイオフィルムの完全な除去は困難である。
【０００６】
また従来の洗浄方法の一つに、過酸化水素系成分とカタラーゼ等の過酸化水素系成分の分解触
媒を使用する方法もあるが、いずれもバイオフィルムの除去は充分と言えない。
過酸化水素系成分を使用した風呂釜の洗浄剤はすでに多数の特許が出ており、その概要を
背景技術として以下に記載した。
そのほとんどにおいて、本発明との相違は各薬剤を同時に使用するため、過酸化水素系
成分が瞬時に分解してしまう。そのため、初期投入濃度が高くなるので不経済であり、
作業時間も長時間となる。
【０００７】
【特許文献１】特許第３７５６９７１号公報
【０００８】
【特許文献２】特開２００６−３４８１８１号公報
【０００９】
【特許文献３】特開２００５−２９８２４６号公報
【００１０】
【特許文献４】特開２００４−３０７５７１号公報
【００１１】
【特許文献５】特開２００１−１９９９６号公報
【００１２】
【特許文献６】特開２００１−３０８５号公報
【００１３】
【特許文献７】特開平成１１−３０２６９０号公報
【００１４】
【特許文献８】特開平１０−３０６２９７号公報
【００１５】
【特許文献９】特開平８−２８３７８８号公報
【発明の開示】
【発明の効果】
【００１６】
［各洗浄例で残留する未洗浄物の測定結果］
各例の洗浄工程における中和直後の排水を採取し、剥離洗浄された洗浄水に含有する有機物汚れ
として、固形有機物の量すなわちＳＳ（重量ｐｐｍ）を測定し、それをaとした。
さらに実施例１の洗浄方法で再洗浄し、その中和直後の、残留する有機固形物を排出した洗浄水
のＳＳをｂとし、これを剥離洗浄できなかったＳＳとして、最初の各例のＳＳ量aを再洗浄によ
り得られたｂとの合計a＋ｂを洗浄前の全有機物とみなしてa/(a＋ｂ)×１００でもって、各例に
おける洗浄後の除去率（％）とみなした。
すなわち、aは各洗浄方法の結果として洗浄された固形有機物量を示し、bはその時の未洗浄物で
残留する付着している固形有機物量を示す。
結果として、本発明の実施例１および実施例２に関しては、９９％以上の固形有機物が除去され
たに対して、本発明と違う方法である比較例では、アルカリ成分と過酸化水素系成分を分解する
触媒、さらに過酸化水素系成分を同時に使用したものであり、比較例１、比較例２は、濃度を倍
付近まで上げ、時間も３倍近くかけても実施例と比較して洗浄水２５〜３０％の未洗浄物が残留
していることを示した。
即ち、本発明の４段階の洗浄方法による洗浄が、十分な効果を上げているという結果を示した。
【００１７】
［各例の洗浄作業に消費する時間］
各例の洗浄に消費した時間を分単位で測定した。
結果として、本発明の４段階での洗浄作業時間は実施例としての１４０分に対して、４段階にし
て洗浄しない比較例においては倍ないし３倍の時間を必要とした。
また、その洗浄効果の判断になる洗浄後の残留する付着物の量についても、前述のように実施
例１実施例２が比較例より優れていた。
【００１８】
［各例における使用した薬剤量］
本発明の実施例１、実施例２に対して、比較例１、比較例２では、ほぼ倍量の薬剤を使用したが、
実施例の方法が少ない薬剤で、より完璧な洗浄ができることを示した。
【００１９】
温浴設備の洗浄作業現場では湿度や温度などの管理において、通気性、換気性が十分でない場合が
多く、洗浄工事中は良好な作業環境が求められる。
これまでの薬剤での洗浄方法では、洗浄剤の多量使用と臭気が原因となって、作業環境の悪化が危惧
されたが、本発明の洗浄方法においては臭気が軽減された。
【００２０】
［洗浄前、洗浄後における浴用水の細菌数］
各例における洗浄前と洗浄後における浴槽水の細菌量（培養試験における菌集落数）
を測定し、評価した。
いずれの洗浄方法でも、一般細菌、レジオネラ菌を死滅至らしめることができた。
【発明が解決しようとする課題】
【００２１】
強いアルカリが有機物の組織に作用すると、分子内に分解がおこることは周知の事実である。
一方、過酸化水素系成分は、アルカリ性においては不安定であり、酸素ガスを発生しながら
分解する。
したがって、アルカリ性の環境での過酸化水素系成分は、有機物の固形物を剥離洗浄する前
にその大半が分解して、洗浄の効率が低下する。
これを補うには、本発明による過酸化水素系成分の濃度の５〜２０倍を使用する必要があっ
た。
どのような方法で洗浄すると過酸化水素系成分を低減できるか、が最大の課題点となる。
【００２２】
洗浄剤の濃度だけでなく、短時間で洗浄を完了することも重要な課題である。
すなわち、浴場を経営する側は、ほぼ深夜から早朝まで顧客の入浴の要請に応じなければなら
ない状況にあり、洗浄工事時間は短時間であることが必要である。
できうるなら、３〜６時間以内に全ての工事作業が完了することが望ましい。
【００２３】
過酸化水素系成分の分解触媒として、各種の重金属があるが、公害源となるものは使用しない
ほうが良い。
特に、水銀、カドミウム、鉛、亜鉛、銅、六価クロム、ヒ素、アンチモン、モリブデンの化合
物が自然界に排水されることは避けるべきである。
【課題を解決するための手段】
【００２４】
本発明は、浴槽設備の水系経路内に付着した有機物固形組織すなわちバイオフィルムを溶解洗浄
する方法に関するものであって、第一段階から第四段階まで、それぞれの段階で作用せしめる薬
剤を順次独立して浴槽水に投入し、浴槽水を洗浄水とし、浴槽設備の水系経路内で一定時間、循
環または滞留せしめて、薬剤の効果を無駄なく発揮させ、それぞれの薬剤の特長を最大限に発揮
させる方法である。これにより、それぞれの薬剤を単属もしくは複合する薬剤を浴槽水に同時に
投入して使用する場合と比較し、より短時間の作業時間で洗浄を完了し、より少ない薬剤添加量
で洗浄を達成できる。
【００２５】
有機物固形組織が付着した浴用設備の水系経路内を洗浄するに当たり、その第一段階の処理方法
として、カセイソーダもしくはカセイカリの単品または混合物を含有する薬剤を浴槽水に投入し、
ｐＨ１１以上のアルカリ性とせしめた洗浄水を、水系経路内で循環または滞留せしめる。
この第一段階の処理により、設備内に付着した有機物の組織はアルカリで破壊され、洗浄水中に
分散され、最終段階において水洗され、除去される。
第一段階で使用するアルカリ性の成分としては、カセイソーダもしくはカセイカリの単品もしく
はそれらの混合物を洗浄水中の濃度として０．１〜１０％、好ましくは０．２〜２．０％の範囲
で添加する。
この添加においては、予めカセイソーダもしくはカセイカリを溶解した水溶液であってもよいが、
洗浄水中の最終的な濃度は上記の範囲で行う。
また、これらカセイソーダもしくはカセイカリと安定して共存できるノニオン界面活性剤、アニ
オン界面活性剤を混合して使用することも有機物の組織を破壊し、分解を促進する効果を向上さ
せる。
【００２６】
次いで第二段階の処理方法として、過酸化水素系の成分の分解による酸素ガスの発生を促進する
ことが可能な重金属系の触媒を洗浄水に投入し、アルカリ性の水中で優先してその有機物組織内
に触媒を沈着せしめる。
触媒としては鉄、コバルト、ニッケル、コバルト、バナジウム、マンガン、銀の化合物の単品も
しくはそれらの混合物からなる成分であって、それらの金属の塩化物、硫酸塩、硝酸塩、有機酸
塩、金属錯塩、マンガンにおいては過マンガン酸塩のごとき、重金属を分子内に含有する化合物
が使用できる。
これらの塩類は、アルカリ性において水酸化物、あるいは酸化物の微細な沈殿物を形成し、固形
物である有機物組織内に沈着する性質を持つ。
そのため、第三段階の処理で添加される過酸化水素系成分の薬剤の分解による酸素ガスの発生を、
固形物である有機物組織内において、集中させることが可能となる。
これらの触媒の添加量は、それらの単品もしくは混合物の形で、洗浄水中の濃度として
０．００００１〜０．１％の範囲で使用する。
【００２７】
さらに第三段階の処理方法として、洗浄水に過酸化水素系成分を添加し、触媒の沈着した有機物
組織内で集中的に酸素ガスを発生させながら、設備内に強固に残留する有機物の付着物を洗浄水
の中に分散せしめる。
本発明における第三段階の処理方法としての過酸化水素系化合物は、過酸化水素水、過炭酸ナト
リウム、過炭酸カリウムを洗浄水の中の濃度として、０．１〜１０％の範囲で使用する。
これらの過酸化水素系成分は、有機物組織内にアルカリ性において水酸化物、あるいは酸化物の
微細な沈殿物として沈着した触媒と接触し、その場所で集中的に分解され、酸素ガスを発生し、
固形物である有機物を洗浄水中に遊離分散させることで、ほぼ完全な洗浄除去が可能となる。
【００２８】
最終的な第四段階の処理方法として、洗浄水に残留するアルカリ成分を酸性の薬剤成分で中和し、
洗浄水を廃棄し、水洗して仕上げることにより、残留汚物を除去する。
第四段階の処理方法としての酸性物質としては、塩酸、硫酸、有機酸などを使用し、第一段階で
使用したアルカリを中和し、排水基準となるｐＨ範囲、すなわちｐＨ６．８〜８．５の中性域ま
で中和し、排水後、水が清浄となるまで水洗する。
【発明を実施するための最良の形態】
【００２９】
第一段階の処理方法として、カセイソーダもしくはカセイカリの単品または混合物を含有する
薬剤を浴槽水に投入する。
有機物は、強い酸性において、ゲル表面が固着した状態で安定した状態となるが、強いアルカ
リ性のもとでは繊維組織、側鎖組織がアルカリ性で加水分解され、組織が破壊される。
アルカリ物質を取り扱う者が、そのアルカリ物質に直接肌に接触したときに、ヌルヌルした感
触を受けるのは、その肌にアルカリ物質は肌組織内に浸透しているからにほかならない。
このようなときには、弱い酸性物質で中和すると、ヌルヌル感は直ちに消失する。
酸性物質が肌に接触した場合は、アルカリの場合のようなヌルヌル感はでないが、強力な酸性
では、痛みなどの刺激感がでる。
このようにアルカリ物質による有機物の溶解は、野菜類の滓で閉塞した配管の溶解洗浄にカセ
イソーダやカセイカリの固形物が使用されているように公知の事実である。
本発明においては、その洗浄行程の第一段階に、カセイソーダもしくはカセイカリの単品もし
くはそれらの混合物を洗浄水中の濃度として０．１〜１０％、好ましくは０．２〜２．０％の
範囲で添加することで、設備内の有機物組織を部分的に破壊し、次の段階の触媒沈着の処理を
促進する効果を出すものである。
【００３０】
次いで第二段階の処理方法として、過酸化水素系の成分の分解による酸素ガスの発生を促進する
ことが可能な重金属系の触媒を洗浄水に投入し、アルカリ性の水中で優先してその有機物組織内
に触媒を沈着せしめる。
すなわち、第一段階で有機物固着成分の部分的組織破壊により、その一部が剥離し、触媒の付着
が促進される。
特に触媒として挙げた、鉄、コバルト、ニッケル、コバルト、バナジウム、マンガン、銀の化合
物はいずれも、アルカリ性の水中の環境において、加水分解されて、水酸化物の微少な沈殿に変
化し、後の段階で、過酸化水素系成分の分解をその部分で集中して起こす。
マンガンにおいては過マンガン酸塩の挙動として、有機物に接触したことで、水酸化マンガンや
二酸化マンガンとなり、過酸化水素系成分の触媒として効果的に作用する。
ごとき、重金属を分子内に含有する化合物
が使用できる。
これらの触媒の添加量は、それらの単品もしくは混合物の形で、洗浄水中の濃度として
０．００００１〜０．１％の範囲で使用するのが最適である。
【００３１】
さらに第三段階の処理方法として、洗浄水に過酸化水素系成分を添加し、触媒の沈着した有機物
組織内で集中的に酸素ガスを発生させながら、設備内に強固に残留する有機物の付着物を洗浄水
の中に分散せしめる。
これらの過酸化水素系成分は、有機物組織内にアルカリ性において水酸化物、あるいは酸化物の
微細な沈殿物として沈着した触媒と接触し、その場所で集中的に分解され、酸素ガスを発生し、
固形物である有機物を洗浄水中に遊離分散させることで、ほぼ完全な洗浄除去が可能となる。
【００３２】
最終的な第四段階の処理方法として、洗浄水に残留するアルカリ成分を酸性の薬剤成分で中和し、
洗浄水を廃棄し、水洗して仕上げることにより、残留汚物を除去し、洗浄を完了する。
【実施例１】
【００３３】
ゴルフ場の顧客を対象とした５トンの保有水量をもつ循環式入浴設備について、約２年間洗浄し
てない水系回路における配管、濾過器、浴槽の経路の洗浄を実施した。
第一段階の薬剤として、カセイソーダの３０％水溶液を作成し、１０００Ｋｇの浴用設備の水に
２０Ｋｇ投入し、３０分間、既設の循環ポンプを使用して循環した。
薬剤投入後、約５分で、水系経路内の油脂を主体とする有機物が分解され、浴用水すなわち洗浄
水が、僅かに泡立ち、僅かに白濁するのが確認できた。
第二段階の処理方法の薬剤として、無水炭酸ナトリウム５０部に塩化第二鉄５０部を混合した触
媒４００ｇを洗浄水に投入し、３０分間、既設の循環ポンプを使用して循環した。
薬剤投入後、約１５分で、水系経路内のアルカリと反応して、微褐色の濁りが発生した。
これは、アルカリと反応した塩化第二鉄が水酸化第二鉄に変化したことによるものである。
２０分後、第二段階の薬剤の投入による微褐色の濁りが少なくなり、有機物のほうに沈着したと
推定した。
第三段階の薬剤として、１８％過酸化水素水溶液を４０Ｋｇ投入し、３０分間、既設の循環ポン
プを使用して循環した。
薬剤投入後、約５分で、多量の酸素ガスを発生を発生し、水系経路内の固形有機物を剥離し、洗
浄水は泡立ち、多量の濁りが発生しはじめ、そのまま２５分循環を継続した。
その後、洗浄水のアルカリを２０％塩化水素、約２０Ｋｇを使用して、ｐＨ７．０まで中和し、
分析するための排水約１，０００ｍｌを採取し、実施例１の排水とした。
さらに、有機物の付着を確認するため、実施例１の中和直後までの洗浄行程を再度実施し、分
析するための排水約１，０００ｍｌを採取し、実施例１の再洗浄排水とした。
再度、清浄な水道水を浴槽に満たし、循環ポンプにより５分間循環し、水ゆすぎを実施した。
水ゆすぎ処理を計４回実施し、水系経路内に残留する汚れを除去し、洗浄を完了した。
【実施例２】
【００３４】
スーパー浴場の顧客を対象とした１５トンの保有水量をもつ循環式入浴設備について、約１年間
洗浄してない水系回路における配管、濾過器、浴槽の経路の洗浄を実施した。
第一段階の薬剤として、カセイソーダ１５％、カセイカリ１５％を含有する水溶液を作成し、
１５，０００Ｋｇの浴用設備の水に６０Ｋｇ投入し、３０分間、既設の循環ポンプを使用して循
環した。
薬剤投入後、約５分で、水系経路内の油脂を主体とする有機物が分解され、浴用水すなわち洗浄
水が、僅かに泡立ち、僅かに白濁するのが確認できた。
第二段階の処理方法の薬剤として、無水炭酸ナトリウム８０部に過マンガン酸カリウム２０部を
混合した薬剤１２００ｇを洗浄水に投入し、３０分間、既設の循環ポンプを使用して循環した。
薬剤投入後、約５分で、水系経路内の洗浄水が微かに紫色に着色し、約１５分で紫色が減少し始
めた。
これは、アルカリと反応した過マンサン酸カリウムが二酸化マンガンに変化したことによるもの
である。
第三段階の薬剤として、１８％過酸化水素水溶液を１２０Ｋｇ投入し、３０分間、既設の循環ポン
プを使用して循環した。
薬剤投入後、約５分で、多量の酸素ガスを発生を発生し、水系経路内の固形有機物を剥離し、洗
浄水は泡立ち、多量の濁りが発生しはじめ、そのまま２５分循環を継続した。
その後、洗浄水のアルカリを２０％塩化水素、約６０Ｋｇを使用して、ｐＨ７．０まで中和して
排水し、分析するための排水約１，０００ｍｌを採取し、実施例２の排水とした。
さらに、有機物の付着を確認するため、実施例１の中和直後までの洗浄行程を再度実施し、分析
するための排水約１，０００ｍｌを採取し、実施例２の再洗浄排水とした。
再度、清浄な水道水を浴槽に満たし、循環ポンプにより５分間循環し、水ゆすぎを実施した。
水ゆすぎ処理を計４回実施し、水系経路内に残留する汚れを除去し、洗浄を完了した。
比較例１
【００３５】
ゴルフ場の顧客を対象とした５トンの保有水量をもつ循環式入浴設備について、約２年間洗浄し
てない水系回路における配管、濾過器、浴槽の経路の洗浄を実施した。
第一段階の薬剤として、カセイソーダの３０％水溶液を作成し、１０００Ｋｇの浴用設備の水に
４０Ｋｇ投入したる直後、無水炭酸ナトリウム５０部に塩化第二鉄５０部を混合した触
媒４００ｇを洗浄水に投入し、さらに時間をおかず、１８％過酸化水素水溶液を８０Ｋｇ投入し、
２２０分間、既設の循環ポンプを使用して循環した。
薬剤投入後、約５分で、多量の酸素ガスを発生を発生し、洗浄水は泡立ち、多量の濁りが発生し
はじめ、そのまま約２１５分循環を継続した。
その後、洗浄水のアルカリを２０％塩化水素、約４０Ｋｇを使用して、ｐＨ７．０まで中和し、
分析するための排水約１，０００ｍｌを採取し、比較例１の排水とした。
さらに、有機物の付着を確認するため、実施例１の中和直後までの洗浄行程を再度実施し、分析
するための排水約１，０００ｍｌを採取し、比較例１の再洗浄水として採取した。
再度、清浄な水道水を浴槽に満たし、循環ポンプにより５分間循環し、水ゆすぎを実施した。
水ゆすぎ処理を計４回実施し、水系経路内に残留する汚れを除去し、洗浄を完了した。
比較例２
【００３６】
スーパー浴場の顧客を対象とした１５トンの保有水量をもつ循環式入浴設備について、約１年間
洗浄してない水系回路における配管、濾過器、浴槽の経路の洗浄を実施した。
第一段階の薬剤として、カセイソーダ１５％、カセイカリ１５％を含有する水溶液を作成し、
１５，０００Ｋｇの浴用設備の水に１２０Ｋｇ投入し、１２０分間、既設の循環ポンプを使用し
て循環した。
薬剤投入後、約５分で、水系経路内の油脂を主体とする有機物が分解され、浴用水すなわち洗浄
水が、僅かに泡立ち、僅かに白濁するのが確認できた。
比較例２においては、過酸化水素系を分解する触媒を使用しなかった。
次いで、１８％過酸化水素水溶液を２４０Ｋｇ投入し、２２０分間、既設の循環ポンプを使用し
て循環した。
薬剤投入後、約５分で、多量の酸素ガスを発生を発生し、水系経路内の固形有機物を剥離し、洗
浄水は泡立ち、多量の濁りが発生しはじめ、そのまま１２０分循環を継続した。
その後、洗浄水のアルカリを２０％塩化水素、約１２０Ｋｇを使用して、ｐＨ７．０まで中和し、
分析するための排水約１，０００ｍｌを採取し、比較例２の排水とした。
さらに、有機物の付着を確認するため、実施例１の中和直後までの洗浄行程を再度実施し、分
析するための排水約１，０００ｍｌを採取し、比較例２の再洗浄排水とした。
再度、清浄な水道水を浴槽に満たし、循環ポンプにより５分間循環し、水ゆすぎを実施した。
水ゆすぎ処理を計４回実施し、水系経路内に残留する汚れを除去し、洗浄を完了した。
［実施例と比較例の評価］
【００３７】
【表１】
2010022951.tif 000002
図 1
［各洗浄例で残留する未洗浄物の測定結果］
［各例における中和直後の排水を採取しaとし、剥離洗浄された洗浄水に含有する有機物汚れとし
て、固形有機物の量すなわちＳＳ（重量ｐｐｍ）を測定した。
さらに実施例１の洗浄方法で再洗浄し、その中和直後の、残留する有機固形物を排出した洗浄水
をｂとし、これを剥離洗浄できなかったＳＳとして、最初の各例のＳＳ量aを再洗浄により得られ
たｂとの合計a＋ｂを洗浄前の全有機物とみなしてa/(a＋ｂ)×１００でもって、各例における
洗浄後の除去率（％）とみなした。
結果として、実施例１および実施例２に関しては、９９％以上の固形有機物が除去されたに
対して、比較例１、比較例２は、濃度を倍付近まで上げ、時間も３倍近くかけても実施例と
比較して洗浄水２５〜３０％の未洗浄物が残留していることを示すものである。
これは、４段階の洗浄方法による洗浄が、充分効果を上げているという結果を示す。］
【００３８】
【表２】
2010022951.tif 000003
図 2
［各例の洗浄作業に消費する時間］
［各例の洗浄に消費した時間を分単位で測定した。
結果として、４段階での洗浄作業時間は実施例としての１４０分に対して、比較例においては
倍ないし３倍の時間を必要とした。
また、その洗浄効果についても、前述のように実施例１実施例２が優れていた。］
【００３９】
【表３】
2010022951.tif 000004
図 3
［各例における使用した薬剤量］
［実施例１、実施例２に対して、比較例１、比較例２では、ほぼ倍量の薬剤を使用したが、
実施例の方法が少ない薬剤で洗浄できることを示した。］
【００４０】
【表４】
2010022951.tif 000005
図 4
［洗浄前、洗浄後における浴用水の細菌数］
［各例における洗浄前と洗浄後における浴槽水の細菌量（培養試験における菌集落数）
を測定し、評価した。
いずれの洗浄方法でも、一般細菌、レジオネラ菌を死滅至らしめることができた。］